(57)【要約】      （修正有）【課題】一般的多用されているハーネス型安全帯の構成を変えることなく、工具等の携帯用部材の吊下げ携帯に供する作業用ベルトを着脱自在に装着可能としたハーネス型安全帯用作業用ベルトを提供する。【解決手段】工具等の携帯用部材を吊下げ携帯可能で、且つ身体の胴回りに装着可能とした作業用ベルトにおいて、身体装着時の両側箇所に、表裏面二枚構造（表面部と裏面部１３で構成）で、且つ身体装着時前方側を開口した安全帯装着部を設けると共に、安全帯装着部の開口端縁に着脱自在とした表裏連結部１４を設けてなる。【選択図】図２
0003211093.tif 000002
【実用新案登録請求の範囲】
【請求項１】
工具等の携帯用部材を吊下げ携帯可能で、且つ身体の胴回りに装着可能とした作業用ベルトにおいて、身体装着時の両側箇所に、表裏面二枚構造で且つ身体装着時前方側を開口した安全帯装着部を設けると共に、安全帯装着部の開口端縁に着脱自在とした表裏連結部を設けてなることを特徴とするハーネス型安全帯用作業用ベルト。
【請求項２】
安全帯装着部を備えた内側ベルトと、前記内側ベルトの外面に装着して携帯用部材の吊下げをなす胴ベルトで構成した請求項１記載のハーネス型安全帯用作業用ベルト。
【請求項３】
内側ベルトの内面にパット部を設けてなる請求項２記載のハーネス型安全帯用作業用ベルト。
【請求項４】
内側ベルトの外面にベルト通し部を設けて胴ベルトを装着してなる請求項２又は３記載のハーネス型安全帯用作業用ベルト。
【考案の詳細な説明】
【技術分野】
【０００１】
本考案は、ハーネス型安全帯に装着して使用する作業用ベルトに関するものである。
【背景技術】
【０００２】
高所作業の安全を確保するため作業者はハーネス型安全帯を装着して作業に従事するが、作業に必要な工具等を携帯するために、胴ベルトを前記ハーネスと連結しており、連結構造は特許文献１に、ハーネス型安全帯における襷掛けとなる肩ベルト（上方ベルト）と脚ベルト（下方ベルト）の中間連結部分をベルト通し金具で連結し、当該ベルト通しに工具携帯用の作業ベルトとなる胴ベルトを装着する構成が開示されている。
【０００３】
また特許文献２には、肩バンドと脚バンドの連結個所に、上部ベルトの折り返し重合部に面ファスナーを備えた連結用ベルトを設け、当該連結用ベルトで補助ベルトを巻回連結して、胴ベルトを装着している構成が開示されている。更に特許文献３には、前記の面ファスナーを備えた連結ベルトに変えて、ソケット連結する結束ベルトを最下構成が開示されている。
【先行技術文献】
【特許文献】
【０００４】
【特許文献１】特開２００４−３２１４８７号公報。
【特許文献２】特開２００５−３４２３０８号公報。
【特許文献３】登録実用新案３１９０１３３号公報。
【考案の概要】
【考案が解決しようとする課題】
【０００５】
前記したハーネス型安全帯に胴ベルト（作業用ベルト）を備える従前手段は、ハーネス型安全帯自体に胴ベルト装着のための部材を設けているものであり、当該安全帯を採用しないと胴ベルトを装備することができなかった。
【０００６】
そこで本考案は、一般的なハーネス型安全帯に対しても胴ベルト（作業用ベルト）を一体に装着できる、ハーネス型安全帯用作業用ベルトを提案したものである。
【課題を解決するための手段】
【０００７】
本考案の請求項１記載に係るハーネス型安全帯用作業用ベルトは、工具等の携帯用部材を吊下げ携帯可能で、且つ身体の胴回りに装着可能とした作業用ベルトにおいて、身体装着時の両側箇所に、表裏面二枚構造で且つ身体装着時前方側を開口した安全帯装着部を設けると共に、安全帯装着部の開口端縁に着脱自在とした表裏連結部を設けてなることを特徴とするものである。
【０００８】
而して表裏連結部の連結を解除して、開口端縁から安全帯装着部の表裏面間に、ハーネス型安全帯を身体に装着した際の腰部に対応する肩ベルトと脚ベルトの中間箇所を位置させて、表裏連結部を連結すると、作業ベルトがハーネス型安全帯と一体化する。
【０００９】
また本考案の請求項２記載に係るハーネス型安全帯用作業用ベルトは、安全帯装着部を備えた内側ベルトと、前記内側ベルトの外面に装着して携帯用部材の吊下げをなす胴ベルトで構成したもので、内側ベルトと胴ベルトでの構成によって、使用目的（安全帯との一体化と携帯部材の携帯用）に応じての材質・構造を選択できる。
【００１０】
また本考案の請求項３記載に係るハーネス型安全帯用作業用ベルトは、特に内側ベルトの内面にパット部を設けてなるもので、身体装着時のサポート機能（筋肉への押圧刺激等）を発揮し、疲労軽減に効果がある。
【００１１】
更に本考案の請求項４記載に係るハーネス型安全帯用作業用ベルトは、内側ベルトの外面にベルト通し部を設けて胴ベルトを装着してなるもので、胴ベルトと内側ベルトの一体化が容易になされる。
【考案の効果】
【００１２】
本考案の構成は上記のとおりで、胴ベルト（作業用ベルト）の装着部を備えていないハーネス型安全帯に、携帯部材の吊下げ携帯を担う作業用ベルトを一体に連結装着可能としたものであり、当該作業用ベルトは、ハーネス型安全帯を装着したままで取り外すことができるので、現場作業における休憩時に安全帯を脱ぐことなく作業ベルトのみを外すことも可能である。
【図面の簡単な説明】
【００１３】
【図１】本考案の実施形態の内側ベルトの斜視図で（イ）は裏面側（ロ）は表面側を示す。
【図２】同身体装着状態の説明図。
【図３】同安全帯との連結説明図（Ｙ型ハーネスの例）。
【図４】同図（Ｘ型ハーネスの例）。
【図５】同使用状態の説明図。
【考案を実施するための形態】
【００１４】
次に本考案の実施形態について説明する。実施形態に示した作業用ベルトは、内側ベルト１と胴ベルト２で構成される。
【００１５】
内側ベルト１は、中間部分（背中に該当する部分）１１を連結縫合して表面部１２と裏面部１３の二枚構造とし、前方開口個所に表裏連結部（ボタン構造又は面ファスナー）１４を設けて安全帯装着部１５としたものである。
【００１６】
また裏面部１３の表面（身体装着時の身体当接面）に適宜なクッション機能を備えたパット部１６を設け、表面部１２の外面適宜数カ所にベルト通し部１７を設けたものである。
【００１７】
胴ベルト２は、ベルト本体２１とベルト本体２１の両端に設けバックル部２２で構成され、ベルト本体２１は、ベルト通し部１７に差し入れて内側ベルト１と一体化し、工具差Ａや腰袋Ｂ等を装着して種々の携帯用部材を吊下げ携帯可能としたものである。
【００１８】
前記の作業用ベルトは、例えばＹ型ハーネス安全帯Ｃに対しては、図３で例示するように肩ベルトｃ１と脚ベルトｃ２を連結している後方ベルトｃ３は、中間部分１１の内側に配し、両側ベルトｃ４を表面部１２と裏面部１３の間の安全帯装着部１５に挟み、表裏連結部１４を連結すると、両側ベルトｃ４を内側ベルト１で挟みこむことになる。
【００１９】
またＸ型ハーネス安全帯Ｄに対しては、図４で例示するように肩ベルトｄ１と脚ベルトｄ２を連結している側方ベルトｄ３を、表面部１２と裏面部１３の間の安全帯装着部１５に挟み、表裏連結部１４を連結して、両側ベルトｃ４を内側ベルト１で挟みこむものである。
【００２０】
従って胴ベルト２を一体化している内側ベルト１が、ハーネス型安全帯Ｃ，Ｄに対して装着されるので、当該ハーネス型安全帯Ｃ，Ｄは、作業ベルトを備えたものとして作業者が装着し、胴ベルト２に工具差Ａや腰袋Ｂ等を連結装着し、種々の携帯用部材を吊下げ携帯可能としたものである。
【００２１】
また前記の作業ベルトは、作業者が装着した状態であっても、着脱が可能であり、作業時の携帯部材の取り換え、作業休憩時の取外しなどが容易に行えるものである。
【符号の説明】
【００２２】
１      内側ベルト
１１    中間部分
１２    表面部
１３    裏面部
１４    表裏連結部
１５    安全帯装着部
１６    パット部
１７    ベルト通し部
２      胴ベルト
２１    ベルト本体
２２    バックル部
Ａ      工具差
Ｂ      腰袋
Ｃ    Ｙ型ハーネス安全帯
Ｄ    Ｘ型ハーネス安全帯
【図１】
0003211093.tif 000003
【図２】
0003211093.tif 000004
【図３】
0003211093.tif 000005
【図４】
0003211093.tif 000006
【図５】
0003211093.tif 000007